(57)【要約】【課題】回路の短絡を防ぐことが可能で、フレキシブルプリント配線基板（ＦＰＣ）全体としての柔軟性を確保しつつ回路が断線するのを抑制することが可能な液晶装置を提供する。【解決手段】液晶パネル１０と、液晶パネル１０に接続されたフレキシブルプリント配線基板２０と、フレキシブルプリント配線基板２０を包囲する筒状絶縁部材３０とを有する液晶装置１。フレキシブルプリント配線基板２０の表面には、複数の配線が形成されている。【選択図】図１
2008116875.tif 000002
【特許請求の範囲】
【請求項１】
液晶パネルと、
前記液晶パネルに接続されたフレキシブルプリント配線基板と、
前記フレキシブルプリント配線基板を包囲する筒状絶縁部材とを有することを特徴とする液晶装置。
【請求項２】
請求項１に記載の液晶装置において、
前記フレキシブルプリント配線基板は、電子素子が実装されたフレキシブルプリント配線基板であり、
前記筒状絶縁部材は、少なくとも前記フレキシブルプリント配線基板における前記電子素子が実装された部分を包囲するように配置されていることを特徴とする液晶装置。
【請求項３】
請求項１又は２に記載の液晶装置において、
前記筒状絶縁部材における前記電子素子に対応する部分には、凹部が形成されていることを特徴とする液晶装置。
【請求項４】
請求項１〜３のいずれかに記載の液晶装置において、
前記筒状絶縁部材における前記液晶パネルとは反対側の開口部は、前記フレキシブルプリント配線基板の曲がる方向に広がっていることを特徴とする液晶装置。
【請求項５】
請求項１〜４のいずれかに記載の液晶装置において、
前記筒状絶縁部材は、接地されていることを特徴とする液晶装置。
【請求項６】
請求項１〜４のいずれかに記載の液晶装置において、
前記筒状絶縁部材は、フェライトを含む材料からなることを特徴とする液晶装置。
【請求項７】
照明光束を射出する照明装置と、
前記照明装置からの前記照明光束を画像情報に応じて変調する液晶パネルを有する液晶装置と、
前記液晶パネルにより変調された光を投写する投写光学系とを備えるプロジェクタにおいて、
前記液晶装置は、請求項１〜６のいずれかに記載の液晶装置であることを特徴とするプロジェクタ。
【請求項８】
請求項７に記載のプロジェクタにおいて、
前記プロジェクタ内には、冷却風流路が形成されており、
前記筒状絶縁部材には、冷却風の流れを整える整流板が形成されていることを特徴とするプロジェクタ。
【請求項９】
請求項７に記載のプロジェクタにおいて、
前記プロジェクタ内には、冷却風流路が形成されており、
前記筒状絶縁部材における前記液晶パネル側の開口部及び前記液晶パネルとは反対側の開口部のうち、冷却風流路の風上側の開口部の開口面積は、冷却風流路の風下側の開口部の開口面積よりも広いことを特徴とするプロジェクタ。
【発明の詳細な説明】
【技術分野】
【０００１】
本発明は、液晶装置及びプロジェクタに関する。
【背景技術】
【０００２】
従来、液晶パネルにフレキシブルプリント配線基板（Ｆｌｅｘｉｂｌｅ  Ｐｒｉｎｔｅｄ  Ｃｉｒｃｕｉｔ、以下「ＦＰＣ」ということもある。）が接続された液晶装置を備えるプロジェクタが知られている（例えば、特許文献１参照。）。このようなＦＰＣの表面には、短絡防止用の絶縁テープが貼り付けられている場合がある。この場合には、ＦＰＣ上に形成された回路の短絡を防ぐことが可能となる。
【０００３】
【特許文献１】特開２０００−２５９０９４号公報
【発明の開示】
【発明が解決しようとする課題】
【０００４】
ところで、ＦＰＣの表面に絶縁テープが貼り付けられている場合には、次のような問題がある。
すなわち、ＦＰＣの表面に絶縁テープが貼り付けられている場合には、ＦＰＣにおける絶縁テープが貼り付けられている部分は他の部分に比べて柔軟性が低いため、ＦＰＣ全体としての柔軟性が低下してしまう。また、ＦＰＣの表面に絶縁テープが貼り付けられている場合には、ＦＰＣを屈曲したときにＦＰＣが絶縁テープの縁付近で鋭角に曲がり易くなるため、ＦＰＣ上に形成された回路が断線する場合がある。
【０００５】
そこで、本発明は、このような問題を解決するためになされたもので、回路の短絡を防ぐことが可能で、ＦＰＣ全体としての柔軟性を確保しつつ回路が断線するのを抑制することが可能な液晶装置を提供することを目的とする。また、そのような優れた液晶装置を備えるプロジェクタを提供することを目的とする。
【課題を解決するための手段】
【０００６】
本発明の液晶装置は、液晶パネルと、前記液晶パネルに接続されたフレキシブルプリント配線基板と、前記フレキシブルプリント配線基板を包囲する筒状絶縁部材とを有することを特徴とする。
【０００７】
このため、本発明の液晶装置によれば、筒状絶縁部材でＦＰＣを絶縁することができるため、ＦＰＣ上に形成された回路の短絡を防ぐことが可能となる。
【０００８】
また、本発明の液晶装置によれば、筒状絶縁部材でＦＰＣを包囲しているため、ＦＰＣの表面に絶縁テープを直接貼り付ける場合のようにＦＰＣの一部に柔軟性の低い部分が発生することもなく、ＦＰＣ全体としての柔軟性を確保することができる。
【０００９】
また、本発明の液晶装置によれば、ＦＰＣを屈曲したときにＦＰＣと筒状絶縁部材とが接触したとしても、ＦＰＣに対して局所的に力がかかることはないため、ＦＰＣ上に形成された回路が断線するのを抑制することが可能となる。
【００１０】
本発明の液晶装置においては、前記フレキシブルプリント配線基板は、電子素子が実装されたフレキシブルプリント配線基板であり、前記筒状絶縁部材は、少なくとも前記フレキシブルプリント配線基板における前記電子素子が実装された部分を包囲するように配置されていることが好ましい。
【００１１】
このように構成することにより、電子素子も含めた回路の短絡を防ぐことが可能となる。
【００１２】
本発明の液晶装置においては、前記筒状絶縁部材における前記電子素子に対応する部分には、凹部が形成されていることが好ましい。
【００１３】
このように構成することにより、フレキシブルプリント配線基板に対する筒状絶縁部材の配置位置がずれてしまうのを抑制することが可能となる。
【００１４】
本発明の液晶装置においては、前記筒状絶縁部材における前記液晶パネルとは反対側の開口部は、前記フレキシブルプリント配線基板の曲がる方向に広がっていることが好ましい。
【００１５】
このように構成することにより、筒状絶縁部材（筒状絶縁部材の開口部の端縁）によってＦＰＣが傷付くのを抑制することが可能となる。
【００１６】
本発明の液晶装置においては、前記筒状絶縁部材は、接地されていることが好ましい。
【００１７】
このように構成することにより、輻射ノイズを除去することができ、いわゆるシールド効果を得ることができる。
【００１８】
本発明の液晶装置においては、前記筒状絶縁部材は、フェライトを含む材料からなることが好ましい。
【００１９】
フェライトは電磁波を吸収するため、このように構成することにより、輻射ノイズを除去することができ、いわゆるシールド効果を得ることができる。
【００２０】
本発明のプロジェクタは、照明光束を射出する照明装置と、前記照明装置からの前記照明光束を画像情報に応じて変調する液晶パネルを有する液晶装置と、前記液晶パネルにより変調された光を投写する投写光学系とを備えるプロジェクタにおいて、前記液晶装置は、本発明の液晶装置であることを特徴とする。
【００２１】
このため、本発明のプロジェクタは、回路の短絡を防ぐことが可能で、ＦＰＣ全体としての柔軟性を確保しつつ回路が断線するのを抑制することが可能な液晶装置を備える高品質なプロジェクタとなる。
【００２２】
本発明のプロジェクタにおいては、前記プロジェクタ内には、冷却風流路が形成されており、前記筒状絶縁部材には、冷却風の流れを整える整流板が形成されていることが好ましい。
【００２３】
このように構成することにより、筒状絶縁部材を通る冷却風の流れを整えることができ、冷却性能を向上することが可能となる。
【００２４】
本発明のプロジェクタにおいては、前記プロジェクタ内には、冷却風流路が形成されており、前記筒状絶縁部材における前記液晶パネル側の開口部及び前記液晶パネルとは反対側の開口部のうち、冷却風流路の風上側の開口部の開口面積は、冷却風流路の風下側の開口部の開口面積よりも広いことが好ましい。
【００２５】
このように構成することにより、筒状絶縁部材内に冷却風を比較的多く取り込むことができるため、ＦＰＣ及び筒状絶縁部材の冷却効率を向上することが可能となる。
【００２６】
なお、冷却風が上から下に向かって流れている場合には、「冷却風流路の風上側の開口部」は、筒状絶縁部材における上側の開口部となり、「冷却風流路の風下側の開口部」は、筒状絶縁部材における下側の開口部となる。また、冷却風が下から上に向かって流れている場合には、「冷却風流路の風上側の開口部」は、筒状絶縁部材における下側の開口部となり、「冷却風流路の風下側の開口部」は、筒状絶縁部材における上側の開口部となる。
【発明を実施するための最良の形態】
【００２７】
以下、本発明の液晶装置及びプロジェクタについて、図に示す実施の形態に基づいて説明する。
【００２８】
［実施形態１］
実施形態１では、本発明の液晶装置について説明する。
まず、実施形態１に係る液晶装置１の構成について、図１を用いて説明する。
【００２９】
図１は、実施形態１に係る液晶装置１を説明するために示す図である。図１（ａ）は液晶装置１の正面図であり、図１（ｂ）は液晶装置１の側面図であり、図１（ｃ）は液晶装置１の斜視図である。
【００３０】
実施形態１に係る液晶装置１は、図１に示すように、液晶パネル１０と、液晶パネル１０に接続されたフレキシブルプリント配線基板（以下、ＦＰＣという。）２０と、ＦＰＣ２０を包囲する筒状絶縁部材３０とを有する。
【００３１】
液晶パネル１０は、図１（ｂ）に示すように、一対の透明なガラス基板（素子基板１２及び対向基板１４）に電気光学物質である液晶１６を密閉封入したものである。液晶１６に電圧信号が印加されると、印加された電圧レベルによって液晶分子の配向が変化し、液晶パネル１０に入射する光が変調される。
【００３２】
素子基板１２には、ここでは図示による説明を省略するが、複数の画素がマトリクス状に配置されている。各画素には、スイッチング素子として薄膜トランジスタ（Ｔｈｉｎ  Ｆｉｌｍ  Ｔｒａｎｓｉｓｔｏｒ、以下「ＴＦＴ」という。）が形成されている。各ＴＦＴのソースには、画素信号を供給するデータ線が電気的に接続されている。各ＴＦＴのゲートには、走査線が電気的に接続されている。各ＴＦＴのドレインには、画素電極が電気的に接続されている。データ線及び走査線は素子基板１２の端部まで延長されている。
【００３３】
なお、スイッチング素子としては、ＴＦＴの代わりに、二端子型非線形素子である薄膜ダイオード（Ｔｈｉｎ  Ｆｉｌｍ  Ｄｉｏｄｅ、以下「ＴＦＤ」という。）を設けてもよい。この場合、ＴＦＤにはデータ線が接続されてデータ信号が供給される。一方、対向基板の内側には対向電極がストライプ状に形成されている。各対向電極は、走査信号が印加される走査線として機能する。なお、対向電極側をデータ信号が印加されるデータ線とし、ＴＦＤに接続された配線を走査信号が印加される走査線としてもよい。
【００３４】
ＦＰＣ２０は、例えばポリイミドフィルムからなる可撓性を有する基板である。ＦＰＣ２０は、図示しない異方性導電膜（ＡＣＦ：Ａｎｉｓｏｔｒｏｐｉｃ  Ｃｏｎｄｕｃｔｉｖｅ  Ｆｉｌｍ）を介して、素子基板１２の端部に接続されている。異方性導電膜は、例えば熱可塑性又は熱硬化性の接着用樹脂の中に多数の導電粒子を分散させたものである。ＦＰＣ２０の表面には、図示しない複数の配線が形成されている。
【００３５】
筒状絶縁部材３０は、例えばポリエチレンテレフタレート（ＰＥＴ）又はポリイミドからなり、筒形状を有する絶縁部材である。筒状絶縁部材３０は、接地されている（図示せず。）。筒状絶縁部材３０における液晶パネル１０側（すなわち下側）の開口部３４の開口面積は、筒状絶縁部材３０における液晶パネル１０とは反対側（すなわち上側）の開口部３２の開口面積と同じ大きさである。
【００３６】
以上のように構成された実施形態１に係る液晶装置１によれば、筒状絶縁部材３０でＦＰＣ２０を絶縁することができるため、ＦＰＣ２０上に形成された回路の短絡を防ぐことが可能となる。
【００３７】
また、実施形態１に係る液晶装置１によれば、筒状絶縁部材３０でＦＰＣ２０を包囲しているため、ＦＰＣの表面に絶縁テープを直接貼り付ける場合のようにＦＰＣの一部に柔軟性の低い部分が発生することもなく、ＦＰＣ２０全体としての柔軟性を確保することができる。
【００３８】
また、実施形態１に係る液晶装置１によれば、ＦＰＣ２０を屈曲したときにＦＰＣ２０と筒状絶縁部材３０とが接触したとしても、ＦＰＣ２０に対して局所的に力がかかることはないため、ＦＰＣ２０上に形成された回路が断線するのを抑制することが可能となる。
【００３９】
実施形態１に係る液晶装置１においては、筒状絶縁部材３０は、接地されているため、輻射ノイズを除去することができ、いわゆるシールド効果を得ることができる。
【００４０】
なお、筒状絶縁部材３０における液晶パネル１０とは反対側（すなわち上側）の開口部３２の形状を、図２〜図４に示す形状とすることも可能である。
【００４１】
図２は、変形例１の筒状絶縁部材３０ａを説明するために示す図である。図２（ａ）は筒状絶縁部材３０ａの上側の開口部３２ａを拡大して示す側面図であり、図２（ｂ）は筒状絶縁部材３０ａの上側の開口部３２ａを拡大して示す断面図である。
図３は、変形例２の筒状絶縁部材３０ｂを説明するために示す図である。図３（ａ）は筒状絶縁部材３０ｂの上側の開口部３２ｂを拡大して示す側面図であり、図３（ｂ）は筒状絶縁部材３０ｂの上側の開口部３２ｂを拡大して示す断面図である。
図４は、変形例３の筒状絶縁部材３０ｃを説明するために示す図である。図４（ａ）は筒状絶縁部材３０ｃの上側の開口部３２ｃを拡大して示す側面図であり、図４（ｂ）は筒状絶縁部材３０ｃの上側の開口部３２ｃを拡大して示す断面図である。
【００４２】
変形例１〜３の筒状絶縁部材３０ａ〜３０ｃは、図２〜図４に示すように、筒状絶縁部材３０ａ〜３０ｃの上側の開口部３２ａ〜３２ｃがＦＰＣ２０の曲がる方向に広がっている。これにより、筒状絶縁部材３０ａ〜３０ｃ（筒状絶縁部材３０ａ〜３０ｃの開口部３２ａ〜３２ｃの端縁）によってＦＰＣ２０が傷付くのを抑制することが可能となる。
【００４３】
［実施形態２］
図５は、実施形態２に係る液晶装置２を説明するために示す図である。図５（ａ）は液晶装置２の斜視図であり、図５（ｂ）は液晶装置２を図５（ａ）とは異なる方向（図５（ａ）の図面奥から図面手前方向）から見たときの斜視図であり、図５（ｃ）は図５（ｂ）に示す液晶装置２から筒状絶縁部材５０を取り外したときの液晶装置２の斜視図であり、図５（ｄ）は液晶装置２を横から見たときの断面図である。なお、図５において、図１と同一の部材については同一の符号を付し、詳細な説明は省略する。
【００４４】
実施形態２に係る液晶装置２は、基本的には実施形態１に係る液晶装置１とよく似た構成を有するが、ＦＰＣとして電子素子が実装されたＦＰＣを備える点及び筒状絶縁部材の一部に凹部が形成されている点で、実施形態１に係る液晶装置１とは異なる。
【００４５】
すなわち、実施形態２に係る液晶装置２においては、図５に示すように、ＦＰＣとして、電子素子４２が実装されたＦＰＣ４０を備える。電子素子４２は、ＩＣやＬＳＩ等の液晶駆動用の素子からなる。電子素子４２の端子は、ＦＰＣ４０の表面に形成された各配線に対してＦＣＢ（Ｆｌｉｐ  Ｃｈｉｐ  Ｂｏｎｄｉｎｇ）等により接続されている。
【００４６】
また、実施形態２に係る液晶装置２においては、筒状絶縁部材５０における電子素子４２に対応する部分には、ＦＰＣ４０に対する筒状絶縁部材５０の位置ずれの発生を抑制するための凹部５６が形成されている。筒状絶縁部材５０は、少なくともＦＰＣ４０における電子素子４２が実装された部分を包囲するように配置されている。
【００４７】
このように、実施形態２に係る液晶装置２は、実施形態１に係る液晶装置１とは、ＦＰＣとして電子素子が実装されたＦＰＣを備える点及び筒状絶縁部材の一部に凹部が形成されている点で異なるが、実施形態１に係る液晶装置１の場合と同様に、筒状絶縁部材５０でＦＰＣ４０を包囲しているため、回路の短絡を防ぐことが可能で、ＦＰＣ４０全体としての柔軟性を確保しつつ回路が断線するのを抑制することが可能な液晶装置となる。
【００４８】
実施形態２に係る液晶装置２においては、筒状絶縁部材５０は、少なくともＦＰＣ４０における電子素子４２が実装された部分を包囲するように配置されているため、電子素子４２も含めた回路の短絡を防ぐことが可能となる。
【００４９】
実施形態２に係る液晶装置２においては、筒状絶縁部材５０における電子素子４２に対応する部分には凹部５６が形成されているため、ＦＰＣ４０に対する筒状絶縁部材５０の配置位置がずれてしまうのを抑制することが可能となる。
【００５０】
実施形態２に係る液晶装置２は、ＦＰＣとして電子素子が実装されたＦＰＣを備える点及び筒状絶縁部材の一部に凹部が形成されている点以外の点では、実施形態１に係る液晶装置１と同様の構成を有するため、実施形態１に係る液晶装置１が有する効果のうち該当する効果をそのまま有する。
【００５１】
［実施形態３］
図６は、実施形態３に係る液晶装置３の斜視図である。なお、図６において、図１と同一の部材については同一の符号を付し、詳細な説明は省略する。
【００５２】
実施形態３に係る液晶装置３は、基本的には実施形態１に係る液晶装置１とよく似た構成を有するが、筒状絶縁部材の構成が、実施形態１に係る液晶装置１とは異なる。
【００５３】
すなわち、実施形態３に係る液晶装置３においては、図６に示すように、筒状絶縁部材６０には、冷却風の流れを整える整流板６６が形成されている。
【００５４】
このように、実施形態３に係る液晶装置３は、実施形態１に係る液晶装置１とは、筒状絶縁部材の構成が異なるが、実施形態１に係る液晶装置１の場合と同様に、筒状絶縁部材６０でＦＰＣ２０を包囲しているため、回路の短絡を防ぐことが可能で、ＦＰＣ全体としての柔軟性を確保しつつ回路が断線するのを抑制することが可能な液晶装置となる。
【００５５】
実施形態３に係る液晶装置３においては、筒状絶縁部材６０には、冷却風の流れを整える整流板６６が形成されているため、例えばプロジェクタ（後述する実施形態５に係るプロジェクタ１０００）に実施形態３に係る液晶装置３を用いた場合には、筒状絶縁部材６０を通る冷却風の流れを整えることができ、冷却性能を向上することが可能となる。
【００５６】
実施形態３に係る液晶装置３は、筒状絶縁部材の構成が異なる点以外の点では、実施形態１に係る液晶装置１と同様の構成を有するため、実施形態１に係る液晶装置１が有する効果のうち該当する効果をそのまま有する。
【００５７】
［実施形態４］
図７は、実施形態４に係る液晶装置４を説明するために示す図である。図７（ａ）は実施形態４に係る液晶装置４の斜視図であり、図７（ｂ）は筒状絶縁部材７０の上面図であり、図７（ｃ）は筒状絶縁部材７０の底面図である。なお、図７（ａ）において、図１と同一の部材については同一の符号を付し、詳細な説明は省略する。
【００５８】
実施形態４に係る液晶装置４は、基本的には実施形態１に係る液晶装置１とよく似た構成を有するが、筒状絶縁部材の形状が、実施形態１に係る液晶装置１とは異なる。
【００５９】
すなわち、実施形態４に係る液晶装置４においては、図７に示すように、筒状絶縁部材７０は、液晶パネル１０側（すなわち下側）の開口部７４の開口面積が筒状絶縁部材７０における液晶パネル１０とは反対側（すなわち上側）の開口部７２の開口面積よりも広くなるような形状を有する。
【００６０】
このように、実施形態４に係る液晶装置４は、実施形態１に係る液晶装置１とは、筒状絶縁部材の形状が異なるが、実施形態１に係る液晶装置１の場合と同様に、筒状絶縁部材７０でＦＰＣ２０を包囲しているため、回路の短絡を防ぐことが可能で、ＦＰＣ全体としての柔軟性を確保しつつ回路が断線するのを抑制することが可能な液晶装置となる。
【００６１】
実施形態４に係る液晶装置４においては、下側の開口部７４の開口面積が上側の開口部７２の開口面積よりも広くなるような形状を有する筒状絶縁部材７０を備えるため、例えば液晶パネルに対して冷却風が下から上に向かって流れるような冷却風流路を有するプロジェクタ（後述する実施形態５に係るプロジェクタ１０００）に実施形態４に係る液晶装置４を用いた場合には、筒状絶縁部材７０内に冷却風を比較的多く取り込むことができ、ＦＰＣ２０及び筒状絶縁部材７０の冷却効率を向上することが可能となる。
【００６２】
実施形態４に係る液晶装置４は、筒状絶縁部材の形状が異なる点以外の点では、実施形態１に係る液晶装置１と同様の構成を有するため、実施形態１に係る液晶装置１が有する効果のうち該当する効果をそのまま有する。
【００６３】
［実施形態５］
実施形態５では、本発明のプロジェクタについて説明する。
まず、実施形態５に係るプロジェクタ１０００の構成について、図８を用いて説明する。
【００６４】
図８は、実施形態５に係るプロジェクタ１０００を説明するために示す図である。図８（ａ）はプロジェクタ１０００の光学系を示す図であり、図８（ｂ）は液晶装置４００Ｒの斜視図である。
【００６５】
実施形態５に係るプロジェクタ１０００は、図８に示すように、照明装置１００と、照明装置１００からの照明光束を赤色光、緑色光及び青色光の３つの色光に分離して被照明領域に導光する色分離導光光学系２００と、色分離導光光学系２００で分離された３つの色光のそれぞれを画像情報に応じて変調する液晶パネル４１０Ｒ，４１０Ｇ，４１０Ｂを有する３つの液晶装置４００Ｒ，４００Ｇ，４００Ｂと、３つの液晶装置４００Ｒ，４００Ｇ，４００Ｂの液晶パネル４１０Ｒ，４１０Ｇ，４１０Ｂによって変調された色光を合成するクロスダイクロイックプリズム５００と、クロスダイクロイックプリズム５００によって合成された光をスクリーンＳＣＲ等の投写面に投写する投写光学系６００とを備えたプロジェクタである。
【００６６】
照明装置１００は、被照明領域側に照明光束を射出する光源装置１１０と、光源装置１１０から射出される照明光束を複数の部分光束に分割するための複数の第１小レンズ１２２を有する第１レンズアレイ１２０と、第１レンズアレイ１２０の複数の第１小レンズ１２２に対応する複数の第２小レンズ１３２を有する第２レンズアレイ１３０と、第２レンズアレイ１３０からの各部分光束を偏光方向の揃った略１種類の直線偏光光に変換して射出する偏光変換素子１４０と、偏光変換素子１４０から射出される各部分光束を被照明領域で重畳させるための重畳レンズ１５０とを有する。
【００６７】
光源装置１１０は、楕円面リフレクタ１１４と、楕円面リフレクタ１１４の第１焦点近傍に発光中心を有する発光管１１２と、発光管１１２から被照明領域側に向けて射出される光を発光管１１２に向けて反射する副鏡１１６と、楕円面リフレクタ１１４からの集束光を略平行光として射出する凹レンズ１１８とを有する。光源装置１１０は、照明光軸１００ａｘを中心軸とする光束を射出する。
【００６８】
発光管１１２は、管球部と、管球部の両側に延びる一対の封止部とを有する。管球部は、球状に形成された石英ガラス製であって、この管球部内に配置された一対の電極と、管球部内に封入された水銀、希ガス及び少量のハロゲンとを有する。発光管１１２としては、種々の発光管を採用でき、例えば、メタルハライドランプ、高圧水銀ランプ、超高圧水銀ランプ等を採用できる。
【００６９】
楕円面リフレクタ１１４は、発光管１１２の一方の封止部に挿通・固着される筒状の首状部と、発光管１１２から放射された光を第２焦点位置に向けて反射する反射凹面とを有する。
【００７０】
副鏡１１６は、発光管１１２の管球部の略半分を覆い、楕円面リフレクタ１１４の反射凹面と対向して配置される反射手段である。副鏡１１６は、発光管１１２の他方の封止部に挿通・固着されている。副鏡１１６は、発光管１１２から放射された光のうち楕円面リフレクタ１１４に向かわない光を発光管１１２に戻し楕円面リフレクタ１１４に入射させる。
【００７１】
凹レンズ１１８は、楕円面リフレクタ１１４の被照明領域側に配置されている。そして、楕円面リフレクタ１１４からの光を第１レンズアレイ１２０に向けて射出するように構成されている。
【００７２】
第１レンズアレイ１２０は、凹レンズ１１８からの光を複数の部分光束に分割する光束分割光学素子としての機能を有し、複数の第１小レンズ１２２が照明光軸１００ａｘと直交する面内に複数行・複数列のマトリクス状に配列された構成を有する。図示による説明は省略するが、第１小レンズ１２２の外形形状は、液晶パネル４１０Ｒ，４１０Ｇ，４１０Ｂの画像形成領域の外形形状に関して相似形である。
【００７３】
第２レンズアレイ１３０は、重畳レンズ１５０とともに、第１レンズアレイ１２０の各第１小レンズ１２２の像を液晶パネル４１０Ｒ，４１０Ｇ，４１０Ｂの画像形成領域近傍に結像させる機能を有する。第２レンズアレイ１３０は、第１レンズアレイ１２０と略同様な構成を有し、複数の第２小レンズ１３２が照明光軸１００ａｘに直交する面内に複数行・複数列のマトリクス状に配列された構成を有する。
【００７４】
偏光変換素子１４０は、第１レンズアレイ１２０により分割された各部分光束の偏光方向を、偏光方向の揃った略１種類の直線偏光光として射出する偏光変換素子である。
偏光変換素子１４０は、光源装置１１０からの照明光束のうち一方の偏光成分（例えばＰ偏光成分）を有する光を透過し他方の偏光成分（例えばＳ偏光成分）を有する光を照明光軸１００ａｘに垂直な方向に反射する偏光分離層と、偏光分離層で反射された他方の偏光成分を有する光を照明光軸１００ａｘに平行な方向に反射する反射層と、偏光分離層を透過した一方の偏光成分を有する光を他方の偏光成分を有する光に変換する位相差板とを有する。
【００７５】
重畳レンズ１５０は、第１レンズアレイ１２０、第２レンズアレイ１３０及び偏光変換素子１４０を経た複数の部分光束を集光して液晶パネル４１０Ｒ，４１０Ｇ，４１０Ｂの画像形成領域近傍に重畳させるための光学素子である。重畳レンズ１５０の光軸と照明装置１００の照明光軸１００ａｘとが略一致するように、重畳レンズ１５０が配置されている。なお、重畳レンズ１５０は、複数のレンズを組み合わせた複合レンズで構成されていてもよい。
【００７６】
色分離導光光学系２００は、ダイクロイックミラー２１０，２２０と、反射ミラー２３０，２４０，２５０と、入射側レンズ２６０と、リレーレンズ２７０とを有する。色分離導光光学系２００は、重畳レンズ１５０から射出される照明光束を、赤色光、緑色光及び青色光の３つの色光に分離して、それぞれの色光を照明対象となる３つの液晶パネル４１０Ｒ，４１０Ｇ，４１０Ｂに導く機能を有する。
【００７７】
実施形態５に係るプロジェクタ１０００においては、液晶装置として、実施形態１で説明した液晶装置１と同様の構成を有する液晶装置４００Ｒ，４００Ｇ，４００Ｂを備えている。
すなわち、液晶装置４００Ｒは、図８（ｂ）に示すように、液晶パネル４１０Ｒと、液晶パネル４１０Ｒに接続されたＦＰＣ４２０Ｒと、ＦＰＣ４２０Ｒを包囲する筒状絶縁部材４３０Ｒとを有する。なお、液晶装置４００Ｇ，４００Ｂは、液晶装置４００Ｒと同様の構成を有するため、詳細な説明を省略する。
【００７８】
液晶パネル４１０Ｒ，４１０Ｇ，４１０Ｂは、画像情報に応じて照明光束を変調するものであり、照明装置１００の照明対象となる。
液晶パネル４１０Ｒ，４１０Ｇ，４１０Ｂは、一対の透明なガラス基板に電気光学物質である液晶を密閉封入したものであり、例えば、ポリシリコンＴＦＴをスイッチング素子として、与えられた画像情報に従って、入射側偏光板から射出された１種類の直線偏光の偏光方向を変調する。
【００７９】
液晶パネル４１０Ｒ，４１０Ｇ，４１０Ｂの光路前段には、集光レンズ３００Ｒ，３００Ｇ，３００Ｂが配置されている。
【００８０】
また、ここでは図示を省略したが、集光レンズ３００Ｒ，３００Ｇ，３００Ｂと各液晶パネル４１０Ｒ，４１０Ｇ，４１０Ｂとの間には、それぞれ入射側偏光板が介在配置され、各液晶パネル４１０Ｒ，４１０Ｇ，４１０Ｂとクロスダイクロイックプリズム５００との間には、それぞれ射出側偏光板が介在配置されている。これら入射側偏光板、液晶パネル４１０Ｒ，４１０Ｇ，４１０Ｂ及び射出側偏光板によって入射する各色光の光変調が行われる。
【００８１】
クロスダイクロイックプリズム５００は、射出側偏光板から射出された各色光毎に変調された光学像を合成してカラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
【００８２】
クロスダイクロイックプリズム５００から射出されたカラー画像は、投写光学系６００によって拡大投写され、スクリーンＳＣＲ上で大画面画像を形成する。
【００８３】
なお、ここでは図示を省略したが、プロジェクタ１０００内には、各光学系などを冷却するための少なくとも１つのファン及び複数の冷却風流路が設けられている。プロジェクタ１０００外部から取り込まれた空気は、これらファン及び複数の冷却風流路によってプロジェクタ１０００内を循環し、外部へと排出される。液晶パネル４１０Ｒ，４１０Ｇ，４１０Ｂの部分では、冷却風が下から上に向かって流れるように冷却風流路が形成されている。
【００８４】
以上のように構成された実施形態５に係るプロジェクタ１０００は、回路の短絡を防ぐことが可能で、ＦＰＣ全体としての柔軟性を確保しつつ回路が断線するのを抑制することが可能な液晶装置４００Ｒ，４００Ｇ，４００Ｂを備える高品質なプロジェクタとなる。
【００８５】
以上、本発明の液晶装置及びプロジェクタを上記の各実施形態に基づいて説明したが、本発明は上記の各実施形態に限定されるものではなく、その要旨を逸脱しない範囲において種々の態様において実施することが可能であり、例えば次のような変形も可能である。
【００８６】
（１）上記実施形態１〜４に係る液晶装置１〜４においては、筒状絶縁部材３０，５０，６０，７０がポリエチレンテレフタレート（ＰＥＴ）又はポリイミドからなるとともに、筒状絶縁部材３０，５０，６０，７０が接地されている場合を例示して説明したが、本発明はこれに限定されるものではなく、筒状絶縁部材として、フェライトを含む材料からなる筒状絶縁部材を用いてもよい。フェライトは電磁波を吸収するため、このような構成からなる筒状絶縁部材を用いることにより、輻射ノイズを除去することができ、いわゆるシールド効果を得ることができる。
【００８７】
（２）上記実施形態１〜４に係る液晶装置１〜４においては、筒状絶縁部材として、穴開き（メッシュ）構造を有する筒状絶縁部材を用いてもよい。
【００８８】
（３）上記実施形態３及び４に係る液晶装置３，４においては、電子素子が実装されていないＦＰＣを備える液晶装置（実施形態１に係る液晶装置１）において、筒状絶縁部材の構成が異なる場合を説明したが、本発明はこれに限定されるものではなく、電子素子が実装されたＦＰＣを備える液晶装置（実施形態２に係る液晶装置２）において、実施形態３及び４で説明した筒状絶縁部材６０，７０を用いたものであってもよい。
【００８９】
（４）上記実施形態４に係る液晶装置４においては、筒状絶縁部材として、下側の開口部の開口面積が上側の開口部の開口面積よりも広くなるような形状を有する筒状絶縁部材７０を備える場合を説明したが、本発明はこれに限定されるものではなく、上側（液晶パネル側）の開口部の開口面積が下側（液晶パネルとは反対側）の開口部の開口面積よりも広くなるような形状を有する筒状絶縁部材を備えていてもよい。このような形状を有する筒状絶縁部材を備える液晶装置は、例えば液晶パネルに対して冷却風が上から下に向かって流れるような冷却風流路を有するプロジェクタに用いることにより、筒状絶縁部材内に冷却風を比較的多く取り込むことができ、ＦＰＣ及び筒状絶縁部材の冷却効率を向上することが可能となる。
【００９０】
（５）上記実施形態５に係るプロジェクタ１０００においては、液晶装置として、実施形態１に係る液晶装置１と同様の構成を有する液晶装置４００Ｒ，４００Ｇ，４００Ｂを備える場合を例示して説明したが、本発明はこれに限定されるものではなく、実施形態２〜４に係る液晶装置２〜４と同様の構成を有する液晶装置を備えていてもよい。
【００９１】
（６）上記実施形態５に係るプロジェクタ１０００においては、発光管に配設される反射手段として副鏡を用いたが、本発明はこれに限定されるものではなく、反射手段として反射膜を用いることも好ましい。また、上記実施形態５に係るプロジェクタ１０００においては、発光管に反射手段としての副鏡が配設されたプロジェクタを例示して説明しているが、本発明はこれに限定されるものではなく、副鏡が配設されていないプロジェクタに本発明を適用することも可能である。
【００９２】
（７）上記実施形態５に係るプロジェクタ１０００においては、光源装置として、楕円面リフレクタ及び凹レンズからなる光源装置を用いたが、本発明はこれに限定されるものではなく、放物面リフレクタからなる光源装置を用いることも好ましい。
【００９３】
（８）上記実施形態５に係るプロジェクタ１０００においては、光均一化光学系として、レンズアレイからなるレンズインテグレータ光学系を用いたが、本発明はこれに限定されるものではなく、ロッド部材からなるロッドインテグレータ光学系をも好ましく用いることができる。
【００９４】
（９）上記実施形態５に係るプロジェクタ１０００は透過型のプロジェクタであるが、本発明はこれに限定されるものではない。本発明は反射型のプロジェクタにも適用することが可能である。ここで、「透過型」とは、透過型の液晶装置等のように光変調手段としての電気光学変調装置が光を透過するタイプであることを意味しており、「反射型」とは、反射型の液晶装置等のように光変調手段としての電気光学変調装置が光を反射するタイプであることを意味している。反射型のプロジェクタにこの発明を適用した場合にも、透過型のプロジェクタと同様の効果を得ることができる。
【００９５】
（１０）上記実施形態５に係るプロジェクタ１０００においては、３つの液晶装置４００Ｒ，４００Ｇ，４００Ｂを用いたプロジェクタを例示して説明したが、本発明はこれに限定されるものではなく、１つ、２つ又は４つ以上の液晶装置を用いたプロジェクタにも適用可能である。
【００９６】
（１１）本発明は、投写画像を観察する側から投写するフロント投写型プロジェクタに適用する場合にも、投写画像を観察する側とは反対の側から投写するリア投写型プロジェクタに適用する場合にも可能である。
【００９７】
（１２）本発明は、携帯電話やＰＤＡ（携帯情報端末）など、液晶パネルを備える電子機器に適用する場合にも可能である。
【図面の簡単な説明】
【００９８】
【図１】実施形態１に係る液晶装置１を説明するために示す図。
【図２】変形例１の筒状絶縁部材３０ａを説明するために示す図。
【図３】変形例２の筒状絶縁部材３０ｂを説明するために示す図。
【図４】変形例３の筒状絶縁部材３０ｃを説明するために示す図。
【図５】実施形態２に係る液晶装置２を説明するために示す図。
【図６】実施形態３に係る液晶装置３の斜視図。
【図７】実施形態４に係る液晶装置４を説明するために示す図。
【図８】実施形態５に係るプロジェクタ１０００を説明するために示す図。
【符号の説明】
【００９９】
１，２，３，４，４００Ｒ，４００Ｇ，４００Ｂ…液晶装置、１０，４１０Ｒ，４１０Ｇ，４１０Ｂ…液晶パネル、１２…素子基板、１４…対向基板、１６…液晶、２０，４０，４２０Ｒ…ＦＰＣ、３０，３０ａ，３０ｂ，３０ｃ，５０，６０，７０，４３０Ｒ…筒状絶縁部材、３２，３２ａ，３２ｂ，３２ｃ，５２，６２，７２，４３２Ｒ…筒状絶縁部材における液晶パネルとは反対側の開口部、３４，５４，６４，７４，４３４Ｒ…筒状絶縁部材における液晶パネル側の開口部、４２…電子素子、５６…凹部、６６…整流板、１００…照明装置、１００ａｘ…照明光軸、１１０…光源装置、１１２…発光管、１１４…楕円面リフレクタ、１１６…副鏡、１１８…凹レンズ、１２０…第１レンズアレイ、１２２…第１小レンズ、１３０…第２レンズアレイ、１３２…第２小レンズ、１４０…偏光変換素子、１５０…重畳レンズ、２００…色分離導光光学系、２１０，２２０…ダイクロイックミラー、２３０，２４０，２５０…反射ミラー、２６０…入射側レンズ、２７０…リレーレンズ、３００Ｒ，３００Ｇ，３００Ｂ…集光レンズ、５００…クロスダイクロイックプリズム、６００…投写光学系、１０００…プロジェクタ、ＳＣＲ…スクリーン
【図２】
2008116875.tif 000003
【図３】
2008116875.tif 000004
【図４】
2008116875.tif 000005
【図１】
2008116875.tif 000006
【図５】
2008116875.tif 000007
【図６】
2008116875.tif 000008
【図７】
2008116875.tif 000009
【図８】
2008116875.tif 000010